(57)【要約】【課題】入力光に信号光が含まれるかを適切に判定することを課題とする。【解決手段】光受信器は、所定のパワーを示す入力光を受け付け、所定の周波数における光信号のパワーを減衰する割合が他の周波数における光信号のパワーを減衰する割合と比較して低くなるフィルタ特性を用いてフィルタリングし、出力光を出力する。また、光受信器は、出力した出力光のパワーに関する値と閾値とを比較し、入力光に信号光が含まれるかを判定する。【選択図】        図１
2010130587.tif 000002
【特許請求の範囲】
【請求項１】
所定のパワーを示す入力光を受け付け、所定の周波数における光信号のパワーを減衰する割合が他の周波数における光信号のパワーを減衰する割合と比較して低くなるフィルタ特性を用いてフィルタリングし、出力光を出力するフィルタリング手段と、
前記フィルタリング手段によって出力された前記出力光のパワーに関する値と閾値とを比較し、入力光に信号光が含まれるかを判定する判定手段と、
を備えることを特徴とする光受信器。
【請求項２】
前記フィルタリング手段は、所定のパワーを示す入力光を受け付け、信号光を含む入力光のパワーを減衰する割合が信号光を含まない入力光のパワーを減衰する割合よりも低くなるフィルタ特性を用いて受け付けた入力光をフィルタリングし、出力光を出力し、
前記判定手段は、前記フィルタリング手段によって出力された前記出力光のパワーと閾値とを比較し、入力光に信号光が含まれるかを判定することを特徴とする請求項１に記載の光受信器。
【請求項３】
前記所定の周波数が信号光に対応する信号光周波数となるフィルタ特性を用いてフィルタリングされた第一の出力光と、前記所定の周波数が当該信号光周波数とは異なる周波数となるフィルタ特性を用いてフィルタリングされた第二の出力光とがフィルタリング手段によって交互に出力されるように、当該フィルタリング手段のフィルタ特性を制御する制御手段をさらに備え、
前記判定手段は、前記制御手段によって制御されることで前記フィルタリング手段によって交互に出力された前記第一の出力光のパワーと前記第二の出力光のパワーとのパワー差と閾値とを比較し、入力光に信号光が含まれるかを判定することを特徴とする請求項１に記載の光受信器。
【請求項４】
前記入力光とは、信号光とＡＳＥ光とを含み、または、ＡＳＥ光のみを含むものであって、
前記判定手段によって信号光が含まれていると判定されると、前記所定の周波数が信号光に対応する信号光周波数となるフィルタ特性を用いてフィルタリングされた信号光を含む出力光と、前記所定の周波数が当該信号光周波数とは異なる周波数となるフィルタ特性を用いてフィルタリングされたＡＳＥ光のみを含む出力光とがフィルタリング手段によって交互に出力されるように、当該フィルタリング手段のフィルタ特性を制御する入力光有時制御手段と、
前記入力光有時制御手段によって制御されることで前記フィルタリング手段によって交互に出力された信号光を含む出力光のパワーをＡＳＥ光のみを含む出力光のパワーで除算して得られる信号光／ＡＳＥ比を出力する出力手段と
をさらに備えることを特徴とする請求項３に記載の光受信器。
【請求項５】
前記出力手段は、前記信号光／ＡＳＥ比を定期的に出力し、
前記出力手段によって定期的に出力される信号光／ＡＳＥ比が小さい値へと変化するかを監視する信号光／ＡＳＥ比監視手段と、
信号光／ＡＳＥ比監視手段によって小さい値へと変化するとの監視結果が得られると、当該信号光／ＡＳＥ比を大きくする信号光／ＡＳＥ比制御手段をさらに備えることを特徴とする請求項４に記載の光受信器。
【請求項６】
所定のパワーを示す入力光を受け付け、所定の周波数における光信号のパワーを減衰する割合が他の周波数における光信号のパワーを減衰する割合と比較して低くなるフィルタ特性を用いてフィルタリングし、出力光を出力するフィルタリングステップと、
前記フィルタリングステップによって出力された前記出力光のパワーに関する値と閾値とを比較し、入力光に信号光が含まれるかを判定する判定ステップと、
を含んだことを特徴とする光受信方法。
【請求項７】
所定のパワーを示す入力光を受け付け、所定の周波数における光信号のパワーを減衰する割合が他の周波数における光信号のパワーを減衰する割合と比較して低くなるフィルタ特性を用いてフィルタリングし、出力光を出力するフィルタリング手段と、
前記フィルタリング手段によって出力された前記出力光のパワーに関する値と閾値とを比較し、入力光に信号光が含まれるかを判定する判定手段と、
を備える光受信器を有することを特徴とする光伝送装置。
【発明の詳細な説明】
【技術分野】
【０００１】
本発明は、光受信器、光受信方法および光伝送装置に関する。
【背景技術】
【０００２】
光受信器は、ＷＤＭ（Wavelength  Division  Multiplexing）装置から入力される入力光として、信号光が入力され、または、ＡＳＥ（Amplified  Spontaneous  Emission）光のみが入力される。なお、ＡＳＥ光とは、光受信器にて識別・再生する処理を行ってもデータが識別・再生されない光であり、ＷＤＭ装置にて光増幅が行われる際に発生する雑音光である。また、信号光とは、光受信器にて識別・再生する処理を行うことにより、データが識別・再生される光である。信号光が入力される場合には、信号光のみが入力される場合だけでなく、信号光とＡＳＥ光とが併せて入力される場合も含まれる。
【０００３】
ここで、従来より、光受信器は、入力光を受信すると、入力光からデータを識別・再生する処理を行い、入力光からデータが識別・再生された場合に、入力光に信号光が含まれると判定していた。すなわち、光受信器は、データを識別・再生する処理を入力光に対して行い、入力光にＡＳＥ光のみが含まれる場合にはデータを識別・再生できないことを利用して、入力光に信号光が含まれるかを判定していた。なお、波長分散によって波形が劣化した信号光に対して分散補償をおこなう手法が知られている。
【０００４】
【特許文献１】特開２００８−０９８９７５号公報（第１〜４頁、第１図）
【発明の開示】
【発明が解決しようとする課題】
【０００５】
ところで、上記した従来の技術は、入力光に信号光が含まれるかを適切に判定することができないという課題があった。すなわち、上記した従来の技術では、光受信器は、データを識別・再生する処理を入力光に対して行わなければ、入力光に信号光が含まれるかを判定できなかった。
【０００６】
そこで、本発明は、上述した従来技術の課題を解決するためになされたものであり、入力光に信号光が含まれるかを適切に判定することが可能である光受信器、光受信方法および光伝送装置を提供することを目的とする。
【課題を解決するための手段】
【０００７】
上述した課題を解決し、目的を達成するため、光受信器は、所定のパワーを示す入力光を受け付け、フィルタ特性を用いてフィルタリングし、出力光を出力するフィルタリング手段を備える。また、前記フィルタリング手段によって出力された前記出力光のパワーに関する値と閾値とを比較し、入力光に信号光が含まれるかを判定する判定手段を備える。
【発明の効果】
【０００８】
入力光に信号光が含まれるかを適切に判定することが可能である。
【発明を実施するための最良の形態】
【０００９】
以下に添付図面を参照して、本発明に係る光受信器、光受信方法および光伝送装置の実施例を詳細に説明する。なお、以下では、光信号を受け付ける光受信器と、受け付けた光信号を送る光送信器とを併せて備える光送受信器を用いて説明する。
【００１０】
以下では、実施例１に係る光送受信器の概要、実施例１に係る光送受信器とＷＤＭ装置との関係、実施例１に係る光送受信器の構成および処理の流れ、実施例１に係る光送受信器の効果を順に説明し、その後、その他の実施例について説明する。なお、光伝送装置とは、光送受信器とＷＤＭ装置とを含む装置である。
【実施例１】
【００１１】
［光送受信器の概要］
まず最初に、図１を用いて、実施例１に係る光送受信器（トランスポンダとも称する）の概要を説明する。図１は、実施例１に係る光送受信器の概要を説明するための図である。
【００１２】
図１の（１）に示すように、実施例１に係る光送受信器では、分散補償器が、所定のパワーを示す入力光を受信する。具体的には、分散補償器は、信号光とＡＳＥ光とを含む光かＡＳＥ光のみを含む光かを入力光として受信し、また、光送受信器内にある光アンプが当該入力光を所定のパワーに増幅した後に受信する。
【００１３】
そして、図１の（２）に示すように、分散補償器は、信号光を含む入力光のパワーを減衰する割合が信号光を含まない入力光のパワーを減衰する割合よりも低くなるフィルタ特性を用いて受信した入力光をフィルタリングし、出力光を出力する。
【００１４】
すなわち、分散補償器は、入力光に含まれる信号光のパワーを減衰する割合と比較して高い割合にて入力光に含まれるＡＳＥ光のパワーを減衰するフィルタ特性を有する。この結果、分散補償器は、ＡＳＥ光のみを含む入力光を受信した場合と比較して、信号光とＡＳＥ光とが含まれる入力光を受信した場合に、大きなパワーを示す出力光を出力する。
【００１５】
そして、図１の（３）に示すように、実施例１に係る光送受信器では、判定処理制御部が、分散補償器から出力された出力光のパワーと閾値とを比較し、当該閾値よりも出力光のパワーが大きい場合には入力光に信号光が含まれると判定し、当該閾値よりも出力光のパワーが小さい場合には、入力光に信号光が含まれないと判定する。
【００１６】
このようなことから、実施例１に係る光送受信器は、入力光に信号光が含まれるかを適切に判定することが可能である。具体的には、入力光から信号を再生する再生処理を行うことなく、入力光に信号光が含まれるかを判定することが可能である。
【００１７】
［光送受信器とＷＤＭ装置との関係］
次に、図２〜図５を用いて、光送受信器２００とＷＤＭ装置１００との関係について簡単に説明する。なお、光送受信器２００に関する詳細を説明については、後述するため説明を省略する。
【００１８】
図２に示す「Ａ局」〜「Ｇ局」各々は、光伝送装置であり、ネットワークにおいて光信号を送受信する。なお、図２は、ネットワーク内における光伝送装置を説明するための図である。
【００１９】
ここで、光伝送装置は、光信号を中継する再生中継器として用いられ、また、ネットワーク側とクライアント側とのインタフェースを備えて光信号を送受信する装置として用いられる。なお、再生中継器としての光伝送装置は、図２のＲＥＧ（Regenerator）に示す装置が該当し、例えば、「Ａ局」や「Ｅ局」が該当する。また、ネットワーク側とクライアント側とのインタフェースを備えて光信号を送受信する装置として用いられる光伝送装置は、図２のＴＸとＲＸとを併せて備える装置が該当し、例えば、「Ｂ局」や「Ｆ局」が該当する。
【００２０】
なお、図２に示す矢印は、ネットワーク側へと送信される光信号の向きを示す。ここで、図２に示す例では、送信、受信は同じ局となっているが、用途により別の局とも接続してもよい。
【００２１】
ここで、図３を用いて、ＴＸ（Transmitter、送信器）とＲＸ（Receiver、受信器）とを併せて備える光伝送装置の構成の一例を示す。図３に示すように、光伝送装置は、ＷＤＭ装置１００と光送受信器２００とを備え、ＷＤＭ装置１００と光送受信器２００とは接続される。また、ＷＤＭ装置１００の受信部は、光信号を伝送路から受信し、複数ある光送受信器２００各々に各チャンネルに分波した信号光を送る。なお、図３は、ＴＸとＲＸとを併せて備える光伝送装置の構成の一例を示すためのブロック図である。
【００２２】
信号光とは、光送受信器２００にて識別・再生する処理を行うことにより、データが識別・再生される光である。チャンネルとは、多重化された信号光各々が含まれる波長（あるいは、周波数）各々を示す。すなわち、ＷＤＭ装置１００の受信部が受信する光信号は、全チャンネルを用いて多重化されていた場合には、当該チャンネル各々に信号光を含むことになる。なお、図３では、各チャンネルに対応づけられた光送受信器２００各々をまとめて、光送受信器部２５０と記載した。
【００２３】
具体的には、ＷＤＭ装置１００の受信部は、ＷＤＭＰｒｅＡｍｐ１０１とＤｅ−Ｍｕｌｔｉｐｌｅｘｅｒ１０２とを備える。ＷＤＭ装置１００の受信部では、ＷＤＭＰｒｅＡｍｐ１０１が、受信した光信号を一括増幅する。すなわち、多重化された光信号を分波することなく増幅する。そして、Ｄｅ−Ｍｕｌｔｉｐｌｅｘｅｒ１０２は、一括増幅された光信号を各チャンネルに分波し、光送受信器２００各々に送る。なお、光送受信器２００各々は、チャンネルに対応づけられており、特定の波長域の光信号を受信する。その後、光送受信器２００各々は、受信した光信号を電気信号に変換し、光伝送装置に接続された他の装置に電気信号を送る。なお、他の装置とは、光伝送装置を用いて情報を送受信する装置であり、例えば、光伝送装置のクライアントとなる装置である。
【００２４】
ここで、ＷＤＭ装置１００の受信部は、受信した光信号に信号光がどのチャンネルにも含まれていない場合には、ＷＤＭＰｒｅＡｍｐ１０１が光信号をシャットダウンする。つまり、ＷＤＭＰｒｅＡｍｐ１０１は、光信号をＤｅ−Ｍｕｌｔｉｐｌｅｘｅｒ１０２に送らない。一方、ＷＤＭ装置１００の受信部は、受信した光信号に信号光が一つでもある場合には、光増幅を行うため、ＷＤＭ装置１００の受信部は、光信号を含まないチャンネルに対応する光送受信器２００に対しては、ＡＳＥ光を送り、また、光信号を含むチャンネルに対応する光送受信器２００に対しては、ＡＳＥ光と信号光とを送る。
【００２５】
なお、ＷＤＭＰｒｅＡｍｐ１０１が信号光の有無を判断する点について補足する。図には示していないが、ＷＤＭＰｒｅＡｍｐ１０１は、受信した光信号をモニタするＰＤ（Photo  Diode）を備え、ＰＤにて検出された光信号のレベルを用いて、受信した光信号に信号光が含まれるか否かを検出する。すなわち、ＷＤＭＰｒｅＡｍｐ１０１は、ＰＤにて検出されたレベルが、１チャンネルにのみ信号光が含まれる場合に検出されるレベルよりも低い場合に、信号光が含まれないと判断する。また、他の光伝送装置との間にて送受信される監視制御信号光により通知された運用中となるチャンネル数が「０」である場合に、信号光が無しと判断する。
【００２６】
なお、ＡＳＥ光とは、光送受信器２００にて識別・再生する処理を行ってもデータが識別・再生されない光であり、例えば、ＷＤＭＰｒｅＡｍｐ１０１にて光増幅が行われる際に発生する雑音光である。また、光送受信器２００各々に送られる光信号のパワーを一定にすることを目的として、例えば、可変減衰器(可変アッテネータ、VOA、Variable  Optical  Attenuator)や、個々のチャンネルの運用状態を監視するスペクトルアナライザを用いてもよい。
【００２７】
また、ＷＤＭ装置１００の送信部は、光送受信器２００から受信した光信号を伝送路に送信する。例えば、光送受信器２００は、光伝送装置に接続された他の装置から電気信号を受け付け、受け付けた電気信号を光信号に変換し、ＷＤＭ装置１００の送信部が、光送受信器２００からから光信号を受け付ける。
【００２８】
具体的には、ＷＤＭ装置１００の送信部は、Ｍｕｌｔｉｐｌｅｘｅｒ１０３とＷＤＭＰｏｓｔＡｍｐ１０４とを備え、Ｍｕｌｔｉｐｌｅｘｅｒ１０３が、光送受信器２００各々から受信した光信号を合波する。そして、ＷＤＭＰｏｓｔＡｍｐ１０４は、合波された光信号を一括増幅して伝送路に送信する。
【００２９】
また、図４を用いて、図２に示したＲＥＧとして用いられる光伝送装置について説明する。なお、図２に示したＲＥＧについて説明する上では、図３を用いて説明した内容と重複する内容については、説明を省略する。図４は、ＲＥＧとして用いられる光伝送装置の構成の一例を示すためのブロック図である。
【００３０】
図４に示す例では、光伝送装置は光信号を中継する中継器であり、受信した光信号を一度電気波形に再生後、再度、光信号として送信する。ここで、光伝送装置は、ＷＤＭ装置１００の受信部が受信した光信号を送信した装置とは異なる装置に、光信号を送信する。
【００３１】
［光送受信器の構成］
次に、図５を用いて、図１に示した光送受信器２００の構成を説明する。図５は、実施例１に係る光送受信器の構成の一例を示すためのブロック図である。なお、以下では、特に言及しない限り、所定のチャンネルについての光信号を処理する光送受信器２００について説明する。
【００３２】
図５に示すように、光送受信器２００は、ＰｒｅＡｍｐ「１」２０１と分散補償器２０２とＰｒｅＡｍｐ「２」２０３とＮＢ−ＭＯＤ（Narrow  band  Module）２０４とを備え、さらに、判定処理制御部２０５を備える。また、判定処理制御部２０５は、図５の色塗り部分の構成が該当し、具体的には、ＰＤ２０６とユニットコントロール２０７とを備える。なお、以下では、ＰｒｅＡｍｐ「１」２０１と分散補償器２０２とＰｒｅＡｍｐ「２」２０３とＮＢ−ＭＯＤ２０４との説明においては、判定処理制御部２０５との関係については特に言及せず、判定処理制御部２０５についての説明にて言及する。
【００３３】
ＰｒｅＡｍｐ「１」２０１は、分散補償器２０２と接続され、また、ＷＤＭ装置１００のＤｅ−Ｍｕｌｔｉｐｌｅｘｅｒ１０２と接続される。また、ＰｒｅＡｍｐ「１」２０１は、Ｄｅ−Ｍｕｌｔｉｐｌｅｘｅｒ１０２から所定のチャンネルについての光信号を受信し、当該光信号を所定のパワーに増幅して分散補償器２０２に送信する。
【００３４】
ＰｒｅＡｍｐ「１」２０１がＤｅ−Ｍｕｌｔｉｐｌｅｘｅｒ１０２から受信する光信号について説明する。まず、図６の（１）に示す位置においては、光信号は分波されておらず、Ｄｅ−Ｍｕｌｔｉｐｌｅｘｅｒ１０２が、チャンネルごとに分波されていない光信号を受信し、例えば、図７に示すように、信号光が多重化された光信号を受信する。なお、図７の横軸は周波数を示し、縦軸は、光の波長（λ）を示す。
【００３５】
なお、図６は、実施例１における光信号の状態を説明するために用いる光送受信器とＷＤＭ装置の各部の関係を説明するためのブロック図である。また、図７は、実施例１におけるＤｅ−Ｍｕｌｔｉｐｌｅｘｅｒが受信する光信号を説明するための図である。
【００３６】
また、図６の（２）に示す位置においては、光信号はＤｅ−Ｍｕｌｔｉｐｌｅｘｅｒ１０２によって分波されており、ＰｒｅＡｍｐ「１」２０１が、図８や図９に示すように、Ｄｅ−Ｍｕｌｔｉｐｌｅｘｅｒ１０２によってチャンネルごとに分波された光信号を受信する。なお、図８や図９においては、横軸は波長を示し、縦軸が、パワーを示す。
【００３７】
なお、図８に示す「０．７ｎｍ」は、１００Ｇグリットの合分波器の透過帯域例を示し、例えば、チャンネル各々について、「０．７ｎｍ」の帯域の光信号が通過することを示す。
【００３８】
ここで、ＰｒｅＡｍｐ「１」２０１は、チャンネルごとに分波された光信号として、図８に示すように、ＡＳＥ光のみを含む光信号を受信し、または、図９に示すように、信号光とＡＳＥ光とを含む光信号を受信する。なお、実施例１では特に言及しないが、ＰｒｅＡｍｐ「１」２０１は、信号光のみを含む光信号を受信してもよい。
【００３９】
なお、図８は、実施例１におけるＰｒｅＡｍｐによって受信される光信号（ＡＳＥ光のみ）を説明するための図である。図９は、実施例１におけるＰｒｅＡｍｐによって受信される光信号（信号光含む）を説明するための図である。なお、光送受信器２００各々は、チャンネルに対応づけられており、ＰｒｅＡｍｐ「１」２０１は、特定の波長域の光信号を受信する。
【００４０】
ＰｒｅＡｍｐ「１」２０１について、受信した光信号を所定のパワーに増幅して分散補償器２０２に送信する点について説明する。ＰｒｅＡｍｐ「１」２０１は、Ｄｅ−Ｍｕｌｔｉｐｌｅｘｅｒ１０２から受信した光信号に、信号光が含まれている場合であっても、信号光が含まれておらずＡＳＥ光のみが含まれている場合であっても、受信した光信号を一定のパワーに増幅して分散補償器２０２に送る。すなわち、図６の（３）に示す位置において、光信号は、一定のパワーを示すことになる。
【００４１】
例えば、ＰｒｅＡｍｐ「１」２０１は、図１０に示す波長特性のようなＡＳＥ光のみを含む場合と、図１１は示す信号光が増幅された場合の波長特性だが、どちらの場合も全体のパワーが同一の値となるように、動作を行う。なお、図１０は、実施例１におけるＰｒｅＡｍｐによって出力される光信号（ＡＳＥ光のみ）を説明するための図である。図１１は、実施例１におけるＰｒｅＡｍｐによって出力される光信号（信号光含む）を説明するための図である。なお、図１０や図１１においては、横軸は波長を示し、縦軸が、パワーを示す。
【００４２】
ここで、ＡＳＥ光のみを含む場合にＰｒｅＡｍｐ「１」２０１が出力する光信号と、信号光とＡＳＥ光とを含む場合にＰｒｅＡｍｐ「１」２０１が出力する光信号との違いについて言及する。ＰｒｅＡｍｐ「１」２０１は、所定のパワーを示す光信号を送信する。この結果、図１１に含まれる信号光のパワーとＡＳＥ光のパワーとの合計が、図１０に示すＡＳＥ光のパワーと同じ値となり、図１０に示すＡＳＥ光のパワーは、図１１に示すＡＳＥ光のパワーと比較して大きなパワーとなる。すなわち、図１０に示すＡＳＥ光のパワーは、図１１に示す信号光のパワーの分、図１１に示すＡＳＥ光のパワーと比較して大きなパワーとなる。
【００４３】
なお、ＰｒｅＡｍｐ「１」２０１は、例えば、エルビウム添加光ファイバ増幅器（ＥＤＦＡ、Erbium  Doped  Fiber  Amplifier）などが該当する。
【００４４】
分散補償器(ＴＤＣ（Tunable  Dispersion  Compensators）２０２は、ＰｒｅＡｍｐ「１」２０１とＰｒｅＡｍｐ「２」２０３と接続され、例えば、ＶＩＰＡ（Virtually  Imaged  Phased  Array）型が該当する。ほかにも、分散補償器２０２としては、ＡＷＧ(Arrayed Waveguide Grating)型、エタロン型、ＦＢＧ(Fiber Bragg Grating)型、ＭＺＩ(Mach Zehnder Interferometer)型などが該当する。
【００４５】
なお、ＶＩＰＡとは、集光用レンズとＶＩＰＡガラスプレート(ＶＩＰＡ板)と３次元自由曲面ミラーとを備え、３次元自由曲面ミラーを動かすことにより分散値を変化させる。ここで、３次元自由曲面ミラーを動かす際には、ステッピングモータにより機械的に動かす。また、３次元自由曲面ミラーの移動距離には制限があり、例えば、２ｋｍ程度が上限となっている。また、分散補償器２０２は、後述するように、判定処理制御部２０５によって分散値が制御される。
【００４６】
また、分散補償器２０２は、信号光を含む光信号のパワーを減衰する割合が信号光を含まない光信号のパワーを減衰する割合よりも低くなるフィルタ特性を備え、例えば、図１２に示すようなフィルタ特性を備える。すなわち、分散補償器２０２は、光信号に含まれる信号光のパワーを減衰する割合と比較して高い割合にて光信号に含まれるＡＳＥ光のパワーを減衰するフィルタ特性を有する。なお、図１２は、実施例１における分散補償器が備えるフィルタ特性を説明するための図である。なお、分散補償器２０２が受信する光信号を入力光とも称し、また、分散補償器２０２から出力される光信号を出力光とも称する。なお、図１２に示す「０ｄＢ」より下である場合には、マイナスとなり、損失量が大きいことを示す。
【００４７】
図１２に示すフィルタ特性の例では、横軸が周波数を示し、また、縦軸が挿入損失を示す。なお、挿入損失とは、分散補償器２０２が受信した光信号に対する減衰を示す。図１２に示すように、分散補償器２０２は、フィルタ特性として、所定の周波数においては、挿入損失が少なく、また、当該所定の周波数からずれた周波数において、挿入損失が大きくなるフィルタ特性を備える。ここで、所定の周波数とは、例えば、信号光の周波数に対応し、図１２に示す例では、例えば、「１００ＧＨｚ〜２００ＧＨｚ」で所定の周波数があるものとして説明する。なお、図１２に示すフィルタ特性では、所定の周波数が複数あるものとして説明する。
【００４８】
また、分散補償器２０２は、所定のパワーを示す光信号をＰｒｅＡｍｐ「１」２０１から受信する。すなわち、図６の（３）に示す位置においては、ＰｒｅＡｍｐ「１」２０１によって送信された光信号となり、分散補償器２０２が、図１０や図１１に示すように、ＰｒｅＡｍｐ「１」２０１によって所定のパワーに増幅された光信号を受信する。
【００４９】
また、図１３や図１４に示すように、分散補償器２０２は、受信した光信号をフィルタリングし、出力光をＰｒｅＡｍｐ「２」２０３に出力する。なお、図１３は、実施例１における分散補償器によるＡＳＥ光のみを含む光信号をフィルタリングする処理を説明するための図である。また、図１４は、実施例１における分散補償器による信号光を含む光信号をフィルタリングする処理を説明するための図である。
【００５０】
図１３の（１）や図１４の（１）に、分散補償器２０２が備えるフィルタ特性と、ＰｒｅＡｍｐ「１」２０１から受信した光信号とを重ねて示した。分散補償器２０２は、フィルタ特性によって周波数ごとに決定される挿入損失にて、ＡＳＥ光のパワーを減衰し、図１３の（２）や図１４の（２）に示すような光信号をＰｒｅＡｍｐ「２」２０３に出力する。なお、参考までに、図１３の（２）や図１４の（２）における点線に示すように、図１３の（１）や図１４の（１）に示すＡＳＥ光の波形を示した。
【００５１】
図１４に示すように、分散補償器２０２は、フィルタ特性において挿入損失が低い所定の周波数が信号光の周波数に対応するため、低い割合にて減衰して出力する。また、図１３や図１４に示すように、分散補償器２０２は、ＡＳＥ光については、フィルタ特性によって決定される挿入損失にて減衰して出力する。ここで、分散補償器２０２は、信号光とＡＳＥ光が含まれる光信号であっても、ＡＳＥ光のみが含まれる光信号であっても、フィルタ特性によって決定される挿入損失にて、ＡＳＥ光を同じように減衰する。言い換えると、分散補償器２０２は、同じ周波数のＡＳＥ光であれば、信号光が含まれる場合であっても、ＡＳＥ光のみが含まれる場合であっても、同じ挿入損失にて減衰する。
【００５２】
ここで、分散補償器２０２は、信号光とＡＳＥ光とが含まれる光信号を受信した場合に、ＡＳＥ光のみを含む光信号を受信した場合に出力される出力光全体のパワーよりも大きい出力光全体のパワーにて、出力光を出力する。
【００５３】
図１５を用いて、出力光全体のパワーについて説明する。なお、図１５は、実施例１における分散補償器から出力される出力光全体のパワーを説明するための図である。図１５の（１）に、分散補償器２０２にてフィルタリングされ、光信号のパワーが減衰された段階における光信号を示した。なお、図１５では、説明の便宜上、図１２に示した分散補償器２０２が備えるフィルタ特性は、αｎｍの波長間隔ごとにβｎｍの波長帯があり、βｎｍの波長帯においては全くパワーを減衰せず、当該βｎｍの波長帯以外の波長帯においては１００％パワーを減衰するものとして説明する。図１５の（２）に示すように、出力光全体のパワーは、光信号のパワーの積分値となり、例えば、フィルタリング前の出力光全体のパワーに対して、β／α分のパワーを示す。
【００５４】
具体的な例をあげて説明する。例えば、分散補償器２０２がＰｒｅＡｍｐ「１」２０１から受信した光信号に、２０％の信号光が含まれるとして説明する。また、分散補償器２０２は、光を１０％〜８０％の幅で減衰し、例えば、信号光に対応する周波数にて１０％のパワーを減衰し、ＡＳＥ光全体では４０％のパワーを減衰するものとして説明する。
【００５５】
例えば、分散補償器２０２は、ＰｒｅＡｍｐ「１」２０１から受信した光信号にＡＳＥ光のみが含まれる場合には、フィルタリングにより光信号全体の４０％のパワーを減衰し、受信した時点のパワーに対して６０％のパワーを示す出力光を出力する。また、分散補償器２０２は、ＰｒｅＡｍｐ「１」２０１から受信した光信号に信号光が含まれる場合には、２０％の信号光について１０％のパワーを減衰し、また、８０％のＡＳＥ光について４０％のパワーを減衰する。そして、分散補償器２０２は、受信した時点のパワーに対して６６（０．２×９０％＋０．８×６０％）％のパワーを示す出力光を出力する。
【００５６】
ここで、図１６を用いて、ＰｒｅＡｍｐ「１」２０１が受信する光信号のパワーと、ＰｒｅＡｍｐ「１」２０１が出力する光信号のパワーと、ＰｒｅＡｍｐ「２」２０３が受信する信号光のパワーとの関係について説明する。なお、図１６では、それぞれ、「ＰｒｅＡｍｐ「１」入力」と「ＰｒｅＡｍｐ「１」出力」と「ＰｒｅＡｍｐ「２」入力」と記載した。なお、ＰｒｅＡｍｐ「２」２０３が受信する信号光のパワーとは、分散補償器２０２が出力する光信号のパワーを示す。図１６は、実施例１における光信号のパワーの違いを説明するための図である。
【００５７】
図１６に示すように、ＰｒｅＡｍｐ「１」２０１が光信号を受信する段階では、信号光を含む光信号のパワーとＡＳＥ光のみを含む光信号のパワーとが、違うパワーともなり、また、同じパワーともなりうる。また、ＰｒｅＡｍｐ「１」２０１が光信号を出力する段階では、信号光を含む光信号のパワーとＡＳＥ光のみを含む光信号のパワーとが、同じパワーを示す。また、ＰｒｅＡｍｐ「２」２０３が光信号を受信する段階では、ＡＳＥ光のみを含む光信号のパワーに対して、信号光を含む光信号のパワーが大きいパワーを示す。
【００５８】
なお、分散補償器２０２は、ＮＢ−ＭＯＤ２０４から判定処理制御部２０５を介して分散値に関する設定を受け付けると、当該分散値に関する設定を用いて光信号を減衰し、ＰｒｅＡｍｐ「２」２０３に送る。
【００５９】
図５の説明に戻ると、ＰｒｅＡｍｐ「２」２０３は、分散補償器２０２とＮＢ−ＭＯＤ２０４と接続され、分散補償器２０２により減衰された損失分を補填する。具体的には、ＰｒｅＡｍｐ「２」２０３は、分散補償器２０２から光信号を受信する。すなわち、図６の（４）に示す位置においては、分散補償器２０２によって送信された光信号となり、ＰｒｅＡｍｐ「２」２０３が、図１３の（２）や図１４の（２）に示すように減衰された光信号を受信する。また、ＰｒｅＡｍｐ「２」２０３は、受信した光信号を増幅して分散補償器２０２によって減衰された損失分を補填し、ＮＢ−ＭＯＤ２０４に送る。
【００６０】
ＮＢ−ＭＯＤ２０４は、ＰｒｅＡｍｐ「２」２０３と接続され、また、ＷＤＭ装置１００のＷＤＭＰｒｅＡｍｐ１０１と接続する。また、ＮＢ−ＭＯＤ２０４は、光信号を受信すると、データを識別再生できるかを判定する。ここで、データを識別再生でき、光伝送装置がＴＸとＲＸとを併せて備える場合には、ＮＢ−ＭＯＤ２０４は、光信号を電気信号に変換し、変換した電気信号をクライアントとなる他の装置へと送信する。また、データを識別再生でき、光伝送装置が再生中継局として用いられる場合には、ＮＢ−ＭＯＤ２０４は、光信号を電気信号に変換し、再度光信号に変換してＷＤＭＰｏｓｔＡｍｐ１０４に送る。
【００６１】
なお、実施例１では、以下に説明するように、判定処理制御部２０５によって、光信号に信号光が含まれるかが判定されることになる。このため、ＮＢ−ＭＯＤ２０４は、受信した光信号について、信号光が含まれる光信号である場合にのみ、実際にデータを識別する処理を行う。
【００６２】
例えば、ＮＢ−ＭＯＤ２０４は、データを識別再生できるかを判定する処理として、ここで、分散値に関する設定を判定処理制御部２０５から分散補償器２０２に送り、分散補償器２０２にて分散値が振られた結果得られる光信号各々をＰｒｅＡｍｐ「２」２０３を介して受信する。
【００６３】
また、例えば、判定処理制御部２０５は、ＮＢ−ＭＯＤ２０４が受信した光信号各々に対してＰＬＬ回路などにてクロック信号の同期が行うことができるかを監視し、同期できる場合に信号有りと判定する。そして、データを識別再生できると判定すると、電気信号に変換する。
【００６４】
次に、判定処理制御部２０５について説明する。図５に示すように、判定処理制御部２０５は、ＰＤ２０６とユニットコントロール２０７とを備え、光信号に信号光が含まれるかを判定する判定処理を制御する。
【００６５】
ＰＤ２０６は、ＰｒｅＡｍｐ「２」２０３とユニットコントロール２０７と接続され、ＰｒｅＡｍｐ「２」２０３内にある光入力モニタ用ＰＤなどが該当する。また、ＰＤ２０６は、分散補償器２０２から出力された光信号のパワーを検出し、ユニットコントロール２０７に送る。
【００６６】
ユニットコントロール２０７は、ＰｒｅＡｍｐ「２」２０３とＮＢ−ＭＯＤ２０４とＰＤ２０６と分散補償器２０２と接続され、Ｒｅｆ２０８とＣｏｍｐ２０９とＣｏｎｔｒｏｌ２１０とを備える。
【００６７】
Ｒｅｆ２０８は、Ｃｏｍｐ２０９と接続され、分散補償器２０２によって出力された出力光のパワーと比較する際にＣｏｍｐ２０９によって用いられる閾値を記憶する。ここで、例えば、Ｒｅｆ２０８は、閾値として、ＡＳＥ光のみを含む光信号が分散補償器２０２に入力された場合に分散補償器２０２から出力される光信号のパワーを記憶する。例えば、当該閾値は、信号光が入力されていない場合に、ＰｒｅＡｍｐ「１」２０１を強制発光させ、ＡＳＥ光のみを含む光信号を分散補償器２０２に入力することにより得ることが可能である。
【００６８】
Ｃｏｍｐ２０９は、ＰＤ２０６とＲｅｆ２０８とＣｏｎｔｒｏｌ２１０と接続され、分散補償器２０２によって出力された出力光のパワーと閾値とを比較する。具体的には、Ｃｏｍｐ２０９は、ＰＤ２０６によって送られた分散補償器２０２から出力された光信号のパワーと、Ｒｅｆ２０８によって記憶されている閾値とを比較する。
【００６９】
また、図１７に示すように、Ｃｏｍｐ２０９は、比較した結果、閾値よりも出力光のパワーが大きい場合には「１」と判定し、当該閾値よりも出力光のパワーが大きくならない場合には「０」と判定する。なお、図１７は、実施例１におけるＣｏｍｐ２０９により出力される「１」「０」信号を説明するための図である。
【００７０】
図１７に示す例では、Ｃｏｍｐ２０９は、分散補償器２０２から出力された光信号を示す「Ｖｍｏｎ」よりも閾値を示す「Ｖｒｅｆ」が大きい場合には、つまり、ＡＳＥ光のみが含まれている場合には、「０」をＣｏｎｔｒｏｌ２１０に送る。また、例えば、Ｃｏｍｐ２０９は、「Ｖｍｏｎ」よりも「Ｖｒｅｆ」が大きくない場合には、つまり、信号光が含まれている場合には、「１」をＣｏｎｔｒｏｌ２１０に送る。
【００７１】
Ｃｏｎｔｒｏｌ２１０は、Ｃｏｍｐ２０９と分散補償器２０２とＰｒｅＡｍｐ「２」２０３とＮＢ−ＭＯＤ２０４と接続され、Ｃｏｍｐ２０９による比較結果に基づいて、分散補償器２０２やＰｒｅＡｍｐ「２」２０３やＮＢ−ＭＯＤ２０４を制御する。
【００７２】
具体的には、光信号に信号光が含まれる場合には、例えば、Ｃｏｍｐ２０９から「１」を受信した場合には、Ｃｏｎｔｒｏｌ２１０は、分散値に関する設定をＮＢ−ＭＯＤ２０４から受信する。そして、図５の「Dispersion  Cont」に示すように、Ｃｏｎｔｒｏｌ２１０は、分散値に関する設定を分散補償器２０２に送る。つまり、光受信器２００では、ＰｒｅＡｍｐ「１」２０１や分散補償器２０２やＰｒｅＡｍｐ「２」２０３やＮＢ−ＭＯＤ２０４が、受信した光信号に含まれる信号光からデータを識別する。
【００７３】
また、具体的には、受信した光がＡＳＥ光のみの場合には、例えば、Ｃｏｍｐ２０９から「０」を受信した場合には、Ｃｏｎｔｒｏｌ２１０は、ＰｒｅＡｍｐ「２」２０３や分散補償器２０２を停止させる。
【００７４】
［光信号のパワー差］
次に、図６と、図１８〜図２０とを用いて、判定処理制御部２０５にて検知する光信号のパワーの差についてさらに説明する。すなわち、分散補償器２０２から出力された段階において、ＡＳＥ光のみを含む光信号と、ＡＳＥ光と信号光とを含む光信号とでは、パワーの差が生じる点についてさらに説明する。
【００７５】
ここで、図１８に示すような条件を用いて具体的に説明する。図１８は、光信号のパワー差を説明するために用いる各部の仕様について説明するための図である。具体的には、ＰｒｅＡｍｐ「１」２０１と、Ｄｅ−Ｍｕｌｔｉｐｌｅｘｅｒ１０２（図１８中では、「ＤＭＵＸ」と記載）と、分散補償器２０２（図１８中では、「ＶＩＰＡ」と記載した）それぞれに関する仕様を示した。
【００７６】
例えば、ＰｒｅＡｍｐ「１」２０１については、信号光のパワーと当該信号光の周波数に対応するＡＳＥ光のパワーとの差を示す「ＯＳＮＲ（Optical  Signal  To  Noise  Ratio）」が、「２０ｄＢ」であることを示す。また、ＰｒｅＡｍｐ「１」２０１については、ＰｒｅＡｍｐ「１」２０１が受信する光信号（Ｐｉｎ）とＰｒｅＡｍｐ「１」２０１が出力する光信号（Ｐｏｕｔ）との関係を示す「利得（Ｇ）」が、（Ｐｉｎ）×「１７．５」＝（Ｐｏｕｔ）となることを示す。
【００７７】
また、例えば、Ｄｅ−Ｍｕｌｔｉｐｌｅｘｅｒ１０２については、チャンネルごとの帯域が「０．７ｎｍ」であり、他のチャンネルから漏れ込む光のパワーと現チャンネルの光信号のパワーの差を示す「クロストーク」が「２５ｄＢ」であることを示す。なお、クロストークについて補足すると、クロストーク「２５ｄＢ」は、現チャンネルの光信号のパワーに比較して、他のチャンネルから漏れ込む光のパワーが「２５ｄＢ」抑圧されることを示す。
【００７８】
また、例えば、分散補償器２０２については、帯域が「０．３２５ｎｍ」であり、所定の周波数と周波数との間を示すフィルタ間隔が「０．８ｎｍ」であることを示す。
【００７９】
ここで、図１９に示すように、ＰｒｅＡｍｐ「１」２０１が、信号光とＡＳＥ光とを含む光信号やＡＳＥ光のみを含む光信号を出力したとして説明する。なお、図１９は、光信号のパワー差を説明するために用いるＰｒｅＡｍｐ「１」から出力される光信号を説明するための図である。図１９に示すように、信号光が含まれる場合であっても、ＡＳＥ光のみを含む場合であっても、ＰｒｅＡｍｐ「１」２０１は、所定のパワーを示す光信号を出力する。例えば、図１９に示す例では、ＰｒｅＡｍｐ「１」２０１は、「６．４ｄＢ」のパワーを示す光信号を出力する。
【００８０】
ここで、分散補償器２０２が備えるフィルタ特性を簡易的なフィルタ（図１５参照）とし、分散補償器２０２が出力する光信号のパワーを算出する。ここで、分散補償器２０２から出力される出力光全体のパワーを「Ｐ」とし、フィルタ間隔を「αnm」、透過帯域を「βnm」とすると、
（Ｐ）＝β／α
となる。なお、ここでは、パワーの差を算出することを目的とするため、フィルタにおける挿入損失は無視する。
【００８１】
ここで、図２０に示すように、分散補償器２０２は、ＡＳＥ光のみを含む光信号を受信した場合には、「２．８３ｄＢｍ」のパワーを示す出力光を出力する。また、分散補償器２０２は、信号光を含む光信号を受信した場合には、「５．５１ｄＢｍ」のパワーを示す出力光を出力する。すなわち、ＡＳＥ光のみを含む光信号を受信する場合と、信号光を含む光信号を受信する場合とにおいて、パワーの差がΔ２．７ｄＢ発生することがわかる。なお、図２０は、光信号のパワー差を説明するために用いる分散補償器から出力される光信号を説明するための図である。
【００８２】
［光送受信器による処理］
次に、図２１を用いて、光送受信器２００による処理を説明する。図２１は、実施例１に係る光送受信器による処理の流れの一例を説明するためのフローチャートである。
【００８３】
図２１に示すように、光送受信器２００は、入力光があると（ステップＳ１０１肯定）、つまり、光信号を受信すると、ＰｒｅＡｍｐ「１」２０１が、所定のパワーを示す光信号を出力する（ステップＳ１０２）。つまり、ＰｒｅＡｍｐ「１」２０１は、光送受信器２００が受信した光信号のパワーを所定のパワーに増幅し、分散補償器２０２に送る。
【００８４】
そして、分散補償器２０２は、ＰｒｅＡｍｐ「１」２０１によって出力された所定のパワーを示す光信号をフィルタリングする（ステップＳ１０３）。つまり、分散補償器２０２は、信号光を含む光信号のパワーを減衰する割合が信号光を含まない光信号のパワーを減衰する割合よりも低くなるフィルタ特性を用いて、受信した光信号をフィルタリングし、出力光を出力する。
【００８５】
そして、判定処理制御部２０５では、Ｃｏｍｐ２０９が、分散補償器２０２によって出力された出力光のパワーと閾値とを比較する（ステップＳ１０４）。ここで、Ｃｏｍｐ２０９は、閾値より大きいと判定する場合には（ステップＳ１０４肯定）、信号光を含むと判定する（ステップＳ１０５）。そして、Ｃｏｎｔｒｏｌ２１０は、データを識別する処理を行うよう制御する（ステップＳ１０６）。つまり、Ｃｏｎｔｒｏｌ２１０は、分散値に関する設定を分散補償器２０２に送り、分散補償器２０２やＮＢ−ＭＯＤ２０４が、受信した光信号からデータを識別する。
【００８６】
一方、判定処理制御部２０５では、Ｃｏｍｐ２０９は、閾値より小さいと判定する場合には（ステップＳ１０４否定）、ＡＳＥ光のみを含むと判定する（ステップＳ１０７）。そして、Ｃｏｎｔｒｏｌ２１０は、停止処理を行う（ステップＳ１０８）。つまり、Ｃｏｎｔｒｏｌ２１０は、ＰｒｅＡｍｐ「２」２０３とＮＢ−ＭＯＤ２０４とを停止する処理を行う。
【００８７】
［実施例１の効果］
上記したように、実施例１によれば、光送受信器２００では、分散補償器２０２が、所定のパワーを示す光信号を受信してフィルタリングし、出力光を出力する。そして、判定処理制御部２０５は、分散補償器２０２によって出力された出力光のパワーと閾値とを比較する。ここで、判定処理制御部２０５は、当該閾値よりも出力光のパワーが大きい場合には光信号に信号光が含まれると判定し、当該閾値よりも出力光のパワーが大きくない場合には、光信号に信号光が含まれないと判定する。この結果、光送受信器２００は、光信号に信号光が含まれるかを適切に判定することが可能である。
【００８８】
具体的には、光信号からデータを再生する再生処理やデータを識別する識別処理を行い、信号が再生識別できた場合に信号光が含まれると判定する処理を実行することなく、光送受信器２００は、信号光の有無を適切に判定することが可能である。
【００８９】
その結果、光送受信器２００では、例えば、（１）分散補償器に稼動部品がある場合は、寿命を延ばすことが可能であり、（２）消費電力を抑えることが可能であり、さらに、（３）サージを防止することが可能である。
【００９０】
（１）分散補償器の寿命を延ばす点について説明すると、例えば、分散補償器２０２がＶＩＰＡである場合には、ＶＩＰＡ内にある３次元自由曲面ミラーの移動距離には上限がある。すなわち、光送受信器２００では、３次元自由曲面ミラーを常に動作させてデータ識別再生処理を行う手法とは異なり、出力光のパワーの差にて信号光が含まれているかを判定することが可能である。この結果、光送受信器２００は、ＶＩＰＡ内の３次元自由曲面ミラーの動作距離を抑えることができ、ＶＩＰＡの寿命を延ばすことが可能である。
【００９１】
また、（２）消費電力を抑える点について説明すると、例えば、データ識別再生処理を常に行う手法とは異なり、光送受信器２００は、分散補償器２０２から出力される出力光全体のパワーの差を用いて判定することができる。この結果、信号光が含まれていない場合には、分散補償器のヒータやＰｒｅＡｍｐ「２」２０３の励起やＮＢ−ＭＯＤ２０４を停止することができ、消費電力を抑えることが可能である。
【００９２】
また、（３）サージを防止する点について説明すると、例えば、ＰｒｅＡｍｐ「２」２０３は、光信号の有無を監視しており、光入力が無い場合には、サージ防止や部品保護、消費電流の低減を目的として、内蔵している励起ＬＤ（Pump  LD）の出力を遮断する、また、ＰｒｅＡｍｐ「２」２０３は、光入力が復帰した場合には、励起ＬＤを動作させ、所定の光出力レベルまで光増幅を行う。
【００９３】
ここで、従来のＰｒｅＡｍｐ「２」は、ＡＳＥ光と信号光との区別ができないため、励起ＬＤのＯＦＦ制御ができず、ＡＳＥ光のみを含む光信号である場合にも、光増幅を行っていた。ここで、ＡＳＥ光のみを含む光信号から、信号光を含む光信号へと変化し、ＰｒｅＡｍｐ「２」が受信する光信号のパワーが大きく変動すると、ＰｒｅＡｍｐ「２」からサージが出力される場合がある。この結果、サージのレベルによっては、ＮＢ−ＭＯＤを破損することがあった。
【００９４】
しかし、実施例１における光送受信器２００によれば、ＡＳＥ光のみを含む光信号であると判定すると、ＰｒｅＡｍｐ「２」２０３やＮＢ−ＭＯＤ２０４を停止することが可能であり、信号光が含まれる光信号になった場合に起こりうるサージを回避することが可能である。
【実施例２】
【００９５】
さて、これまで、実施例１として、図５に示すように、光送受信器２００が、ＰｒｅＡｍｐ「２」２０３を備え、ＰＤ２０６がＰｒｅＡｍｐ「２」２０３内部にあるものとして説明したが、本発明はこれに限定されるものではない。このため、実施例２では、図２２〜図２４を用いて、光送受信器２００について、図５とは異なる構成例を説明する。なお、以下では、実施例１に係る光送受信器２００と同様の点については説明を省略する。
【００９６】
図２２に示すように、実施例１に係る光送受信器２００では、ＰｒｅＡｍｐ「２」２０３内にある光入力モニタ用ＰＤを用いて、分散補償器２０２から出力された出力光のパワーを検出していたが、ＰｒｅＡｍｐ「２」２０３を備えない光送受信器２００では、例えば、Ｔａｐ−ＰＤ３０１を用いてもよい。なお、図２２は、Ｔａｐ−ＰＤを用いる場合における光送受信器の構成の一例を示すためのブロック図である。
【００９７】
具体的には、Ｔａｐ−ＰＤ３０１とは、分散補償器２０２とＮＢ−ＭＯＤ２０４とに接続され、分散補償器２０２によって出力された出力光を受信し、受信した光信号をＮＢ−ＭＯＤ２０４に送る。また、Ｔａｐ−ＰＤ３０１は、分散補償器２０２が出力した光信号を受信した際に、光信号全体のパワーを検出し、ユニットコントロール２０７に送る。この結果、光送受信器は、ＰｒｅＡｍｐ「２」２０３内部にあるＰＤ２０６を用いることなく、分散補償器２０２によって出力された出力光のパワーを検出することが可能である。
【００９８】
また、図２３に示すように、実施例１に係る光送受信器２００では、ＰｒｅＡｍｐ「２」２０３内にある光入力モニタ用ＰＤを用いて、分散補償器２０２から出力された光信号のパワーを検出していたが、ＰｒｅＡｍｐ「２」２０３を備えない光送受信器２００では、例えば、ＮＢ−ＭＯＤ２０４内にあるモニタ用のＰＤを用いてもよい。なお、図２３は、ＮＢ−ＭＯＤ２０４内にあるモニタ用のＰＤを用いる場合における光送受信器の構成の一例を示すためのブロック図である。
【００９９】
すなわち、図２３に示す例では、ＮＢ−ＭＯＤ２０４は、分散補償器２０２から出力された光信号を受信すると、ＮＢ−ＭＯＤ２０４内にあるモニタ用のＰＤが光信号のパワーを検出し、ユニットコントロール２０７に送る。この結果、光送受信器２００は、ＰｒｅＡｍｐ「２」２０３内部にあるＰＤ２０６を用いることなく、また、新たにＰＤ部を搭載することなく、分散補償器２０２から出力された光信号のパワーを検出することが可能である。
【０１００】
また、図２４に示すように、実施例１に係る光送受信器２００では、光信号にＡＳＥ光のみが含まれると判定された場合に、Ｃｏｎｔｒｏｌ２１０が、ＰｒｅＡｍｐ「２」２０３そのものを停止させる場合について説明した。ここで、Ｃｏｎｔｒｏｌ２１０は、ＰｒｅＡｍｐ「２」２０３内部にある励起ＬＤ３０８を止めるように制御してもよい。なお、図２４は、励起ＬＤ３０８を止める場合における光送受信器の構成の一例を示すためのブロック図である。
【０１０１】
すなわち、図２４に示すように、Ｃｏｎｔｒｏｌ２１０は、ＰｒｅＡｍｐ「２」２０３内部にある励起ＬＤ３０８と接続される。また、Ｃｏｎｔｒｏｌ２１０は、光信号にＡＳＥ光のみが含まれると判定された場合に、ＰｒｅＡｍｐ「２」２０３内部にある励起ＬＤ３０８を止めるように制御する。この結果、光送受信器２００は、消費電流を削減し、信号光が含まれる光信号を受信した際にサージが起こることを防止することが可能である。また、光送受信器２００は、励起ＬＤ３０８とＮＢ−ＭＯＤ２０４とを停止し、ＰｒｅＡｍｐ「２」２０３自体には電源を供給することで、例えば、ＰｒｅＡｍｐ「２」２０３内部にあるＰＤ等を用いて出力光のパワーを検知することが可能である。
【実施例３】
【０１０２】
さて、これまで、実施例１として、判定処理制御部２０５が、分散補償器２０２が用いるフィルタ特性を制御することなく、分散補償器２０２から出力される出力光のパワーと閾値とを用いる手法について説明した。しかし、本発明はこれに限定されるものではなく、分散補償器２０２が用いるフィルタ特性を制御することで生じる出力光のパワーの差を用いて、信号光の有無を判定してもよい。
【０１０３】
すなわち、分散補償器２０２は、所定の周波数における光信号のパワーを減衰する割合が他の周波数における光信号のパワーを減衰する割合と比較して低くなるフィルタ特性を用いてフィルタリングする。通常であれば、所定の周波数とは、信号光に対応する信号光周波数となっており、フィルタ特性は、所定の周波数における光信号のパワーを減衰する割合が他の周波数における光信号のパワーを減衰する割合と比較して低い割合を示す。
【０１０４】
ここで、フィルタ特性を制御し、所定の周波数が、当該信号光周波数とは異なる周波数となるように変化させると、信号光が含まれる光信号である場合には、信号光を減衰する割合が変化させる前と比較して高くなり、出力光のパワーは小さな値へと大きく変化する。一方、ＡＳＥ光のみを含む場合には、出力光のパワーはあまり変化しない。
【０１０５】
そこで、以下では、図２５〜図２９を用いて、実施例３として、分散補償器２０２が用いるフィルタ特性を制御することで生じる出力光のパワーの差を用いる手法について説明する。なお、以下では、実施例１に係る光送受信器と同様の点については、説明を省略する。
【０１０６】
図２５に示すように、実施例３に係る光送受信器２００は、実施例１に係る光送受信器２００とほぼ同様の構成を備える。なお、図２５は、実施例３に係る光送受信器の構成の一例を示すためのブロック図である。なお、Ｃｏｎｔｒｏｌ２１０は、実施例１に記載したＣｏｍｐ２０９とＲｅｆ２０８とを備えるものとして説明する。
【０１０７】
ここで、分散補償器２０２は、Ｃｏｎｔｒｏｌ２１０と接続され、Ｃｏｎｔｒｏｌ２１０によってフィルタ特性が制御される。ここで、分散補償器２０２がＶＩＰＡである場合を例に説明する。通常、ＶＩＰＡは、導波路をヒータやペルチェを用いて一定の温度になるような温度制御が働いている。また、ＶＩＰＡでは、ＶＩＰＡ板(ガラス)の温度制御により中心波長を合わせており、ＶＩＰＡ板の温度を意図的に変化させることで、所定の周波数を変化させることが可能となる。すなわち、図２５の「Ｔｅｍｐ  Ｃｏｎｔ」に示すように、Ｃｏｎｔｒｏｌ２１０は、分散補償器２０２に温度を制御する情報を送ることで温度を制御し、分散補償器２０２が用いるフィルタ特性の所定の周波数を変化させる。なお、以下では、所定の周波数のことを、中心波長(透過波長)と記載する。
【０１０８】
ここで、図２６と図２７とを用いて、中心波長が変化した場合における出力光のパワーの違いについて説明する。なお、図２６は、中心波長が変化した場合におけるＡＳＥ光のみを含む出力光のパワーを説明するための図である。図２７は、中心波長が変化した場合における信号光を含む出力光のパワーを説明するための図である。
【０１０９】
図２６の（１）に示すように、ＡＳＥ光のみが含まれる場合には、信号光がなく、広帯域にて同等のパワーを示す波長特性となる。この結果、図２６の（２）に示すように、分散補償器２０２は、中心波長をずらしたとしても、中心波長をずらす前に出力される光信号のパワーと比較してあまりパワーが変化しない光信号を出力する。
【０１１０】
これに対して、信号光が含まれる場合には、光信号に占める信号光の割合が大きく、分散補償器２０２から出力される出力光に占める信号光の割合もまた大きくなる。ここで、図２７の（１）に示すように、中心波長をずらすことにより、中心波長と信号光とがずれると、信号光に対応するパワーが大きく減衰することになる。この結果、図２７の（２）に示すように、分散補償器２０２は、中心波長をずらす前に出力される光信号パワーと比較して大きく変化した光信号を出力し、具体的には、光信号のパワーが小さな値へと大きく変化する。なお、大きく変化するとは、具体的には、ＡＳＥ光のみを含む光信号である場合に変化する光信号のパワーの量と比較して、大きな変化であることを示す。
【０１１１】
具体的な例をあげて説明する。例えば、ＰｒｅＡｍｐ「１」２０１から受信した光信号に、２０％の信号光が含まれるとして説明する。また、分散補償器２０２は、光を１０％〜８０％の幅で減衰し、例えば、信号光に対応する周波数にて１０％のパワーを減衰し、ＡＳＥ光全体では４０％のパワーを減衰するものとして説明する。また、Ｃｏｎｔｒｏｌ２１０が、中心波長をずらすことにより、信号光に対応する周波数にて８０％のパワーが減衰されるようになったとして説明する。すなわち、図２７の（１）に示すように、信号光に対応する周波数にて、分散補償器２０２がもっとも大きな割合でパワーを減衰するように、Ｃｏｎｔｒｏｌ２１０が中心波長をずらしたものとして説明する。
【０１１２】
例えば、分散補償器２０２は、ＰｒｅＡｍｐ「１」２０１から受信した光信号にＡＳＥ光のみが含まれる場合には、フィルタリングにより光信号全体の４０％のパワーを減衰し、受信した時点のパワーに対して６０％のパワーを示す出力光を出力する。一方、分散補償器２０２は、ＰｒｅＡｍｐ「１」２０１から受信した光信号に信号光が含まれる場合には、２０％の信号光について８０％のパワーを減衰し、また、８０％のＡＳＥ光について４０％のパワーを減衰する。そして、分散補償器２０２は、受信した時点のパワーに対して５２％（０．２×８０％＋０．８×６０％）のパワーを示す出力光を出力する。
【０１１３】
ここで、図２５の説明に戻ると、ＰＤ２０６は、分散補償器２０２から出力光が出力されると、出力光のパワーをＣｏｎｔｒｏｌ２１０に送る。
【０１１４】
Ｃｏｎｔｒｏｌ２１０は、中心波長が信号光に対応する信号光周波数となるフィルタ特性を用いてフィルタリングされた第一の出力光が分散補償器２０２から出力されるように、フィルタ特性を制御する。また、Ｃｏｎｔｒｏｌ２１０は、中心波長が当該信号光周波数とは異なる周波数となるフィルタ特性を用いてフィルタリングされた第二の出力光が分散補償器２０２から出力されるように、フィルタ特性を制御する。ここで、Ｃｏｎｔｒｏｌ２１０は、第一の出力光と第二の出力光とが交互に出力されるように、分散補償器２０２のフィルタ特性を制御する。
【０１１５】
例えば、Ｃｏｎｔｒｏｌ２１０は、ＰＤ２０６から第一の出力光のパワーを受信すると、分散補償器２０２が備えるＶＩＰＡ板の温度を制御することで中心波長を変化させ、変化させた後にＰＤ２０６から受信した出力光のパワーを第二の出力光のパワーとする。
【０１１６】
また、Ｃｏｎｔｒｏｌ２１０は、分散補償器２０２によって交互に出力された第一の出力光のパワーと第二の出力光のパワーとの差を算出し、算出した差と閾値とを比較する。ここで、Ｃｏｎｔｒｏｌ２１０は、当該閾値よりも出力光のパワーの差が大きい場合には光信号に信号光が含まれると判定し、当該閾値よりも出力光のパワーの差が大きくない場合には光信号に信号光が含まれないと判定する。なお、実施例３における閾値とは、例えば、ＡＳＥ光のみを含む光信号について、第一の出力光のパワーと第二の出力光のパワーとのパワー差を算出し、当該パワー差を用いる。
【０１１７】
すなわち、図２８に示すように、Ｃｏｎｔｒｏｌ２１０は、中心波長が信号光に対応する場合のパワー（図２８の「変化なし」に対応）を基準として、中心波長を変化させた場合（図２８の「変化あり」に対応）のパワーを比較する。ここで、Ｃｏｎｔｒｏｌ２１０は、パワーが同レベルであれば、ＡＳＥ光のみを含む光信号であると判定する。また、Ｃｏｎｔｒｏｌ２１０は、光信号のパワーが小さなパワーへと大きく変化するのであれば、信号光を含む光信号であると判定する。なお、図２８は、中心波長の変化の有無と出力光のパワーの違いを説明するための図である。
【０１１８】
［実施例３に係る光送受信器による処理］
次に、図２９を用いて、実施例３に係る光送受信器２００による処理を説明する。図２９は、実施例３に係る光送受信器による処理の流れの一例を説明するためのフローチャートである。
【０１１９】
図２９に示すように、実施例３に係る光送受信器では、入力光があり（ステップＳ２０１肯定）、所定のパワーを示す光信号が出力されると（ステップＳ２０２）、分散補償器２０２がフィルタリングする（ステップＳ２０３）。ここで、Ｃｏｎｔｒｏｌ２１０は、第一の出力光のパワーをＰＤ２０６から受信する（ステップＳ２０４）。
【０１２０】
そして、Ｃｏｎｔｒｏｌ２１０は、中心波長をずらす（ステップＳ２０５）。つまり、Ｃｏｎｔｒｏｌ２１０は、中心波長が信号光に対応する周波数とは異なる周波数となるフィルタ特性を用いてフィルタリングされた第二の出力光とが分散補償器２０２によって出力されるように、分散補償器２０２のフィルタ特性を制御する。
【０１２１】
その後、分散補償器２０２によってフィルタリングが行われ（ステップＳ２０６）、Ｃｏｎｔｒｏｌ２１０は、第二の出力光のパワーをＰＤ２０６から受信する（ステップＳ２０７）。
【０１２２】
そして、Ｃｏｎｔｒｏｌ２１０は、パワーの差を算出する（ステップＳ２０８）。つまり、Ｃｏｎｔｒｏｌ２１０は、第一の出力光のパワーと第二の出力光のパワーとの差を算出する。そして、Ｃｏｎｔｒｏｌ２１０は、差が大きいかを判定し（ステップＳ２０９）パワーの差が閾値よりも大きい場合には（ステップＳ２０９肯定）、信号光が含まれると判定して処理を行う（ステップＳ２１０、Ｓ２１１）。また、Ｃｏｎｔｒｏｌ２１０は、パワーの差が閾値よりも大きくない場合には（ステップＳ２０９否定）、信号光が含まれないと判定して処理を行う（ステップＳ２１２、Ｓ２１３）。
【０１２３】
なお、図２９のステップ２０１は、図２１のステップＳ１０１に対応する。図２９のステップＳ２０２は、図２１のステップＳ１０２に対応する。図２９のステップＳ２０３とＳ２０６とは、図２１のステップＳ１０３に対応する。図２９のステップＳ２１０とＳ２１１とは、図２１のステップＳ１０５とＳ１０６とに対応する。図２９のステップＳ２１２とＳ２１３とは、図２１のステップＳ１０７とＳ１０８とに対応する。
【０１２４】
［実施例３の効果］
上記したように、実施例３によれば、光送受信器２００は、中心波長をずらすことにより、光信号に信号光が含まれるかを適切に判定することが可能である。具体的には、光信号からデータを再生する再生処理や、データを識別する識別処理を行うことなく、光送受信器２００は、信号光の有無を判定することが可能である。
【実施例４】
【０１２５】
さて、これまで本発明の実施例について説明したが、本発明は上述した実施例以外にも、その他の実施例にて実施してもよい。そこで、以下では、その他の実施例について説明する。
【０１２６】
［運用チャンネルモニタ］
例えば、図３０に示すように、光送受信器２００は、運用チャンネルモニタとして用いてもよい。なお、図３０は、運用チャンネルモニタとして用いる光送受信器の構成の一例を示すためのブロック図である。なお、運用チャンネルとは、信号光が含まれるチャンネルを示す。運用チャンネルモニタとは、運用チャンネルに関する情報を出力する装置を示す。
【０１２７】
図３０に示すように、光送受信器２００は、ＣｈａｎｎｅｌＭｏｎｉｔｏｒ３０２をさらに備える。ここで、Ｃｏｎｔｒｏｌ２１０は、ＣｈａｎｎｅｌＭｏｎｉｔｏｒ３０２と接続され、運用チャンネルに関する情報をＣｏｍｐ２０９から受信すると、受信した情報をＣｈａｎｎｅｌＭｏｎｉｔｏｒ３０２に送る。すなわち、Ｃｏｎｔｒｏｌ２１０は、光信号にＡＳＥ光のみが含まれるか、信号光が含まれるかをＣｈａｎｎｅｌＭｏｎｉｔｏｒ３０２に送る。
【０１２８】
ここで、従来の手法では、例えば、図３１に示すように、Ｄｅ−Ｍｕｌｔｉｐｌｅｘｅｒ１０２から光信号が出力されるチャンネルごとにモニタを設置し、また、スペクトルアナライザを新たに設けていた（図３１では「ＴＰＤ１」〜「ＴＰＤｎ」と記載）。そして、スペクトルアナライザがモニタ各々を用いて運用中か否かを判別し、運用チャンネルに関する情報を図３１に示すＣｏｎｔに出力し、例えば、Ｃｏｎｔが送信側の光伝送装置に当該情報を送っていた。なお、図３１は、運用チャンネルモニタとして用いる従来の光伝送装置を説明するための図である。
【０１２９】
これに対して図３０に示す光送受信器２００は、ＡＳＥ光のみを含むと判定される場合には、光送受信器２００に信号光が入力されておらず、運用中ではないと判定する。また、光送受信器２００は、信号光を含む光であると判定される場合には、光送受信器２００に信号光が入力されており、運用中と判定する。すなわち、ＣｈａｎｎｅｌＭｏｎｉｔｏｒ３０２が、Ｃｏｎｔｒｏｌ２１０から受信した情報を送信側となる光伝送装置に送る。この結果、光送受信器２００は、運用チャンネルに関する情報を出力する上で、チャンネルごとにモニタを設け、また、スペクトルアナライザを設けることを不要にすることが可能である。
【０１３０】
また、ＣｈａｎｎｅｌＭｏｎｉｔｏｒ３０２は、信号光が含まれ、運用中であると判定する場合には、運用チャンネルに関する情報として、さらに、当該チャンネルに関する波長情報を表示してもよい。すなわち、チャンネル各々には、入力する光信号の波長が設定されており、当該波長を表示してもよい。
【０１３１】
また、ＣｈａｎｎｅｌＭｏｎｉｔｏｒ３０２は、チャンネル数の異常を検知してもよい。具体的には、ＣｈａｎｎｅｌＭｏｎｉｔｏｒ３０２は、他の光伝送装置との間にて送受信される監視制御信号光により通知された運用中となるチャンネル数と、自装置において実際に運用している運用チャンネルの数とを比較し、一致していない場合には、波長数異常として検知してもよい。
【０１３２】
［ＳＮ劣化防止］
また、例えば、スペクトルホールバーニングの発生を抑える際に、光送受信器２００のＣｏｎｔｒｏｌ２１０が、波長（あるいは周波数）の偏りが発生したことを検出し、光送受信器２００が備える光アンプや利得等価器を制御することで、当該偏りを補正してもよい。つまり、波長特性を平坦にしてもよい。
【０１３３】
すなわち、信号光が含まれると判定された場合に、当該信号光について、所定の波長からの偏りを検知し、検知した偏りを修正してもよい。
【０１３４】
ＷＤＭ装置内にある光アンプを使用した場合に、多重化された光信号の内一部の波長が短波長側又は長波長側に偏ることがあり、この結果、物理現象であるスペクトルホールバーニング(SHB、Spectral-hole  Burning)が発生する。ここで、スペクトルホールバーニングが発生すると、波長特性にチルトが発生し、ＳＮ比が劣化する。また、発生したチルトは、ＷＤＭ装置間で光伝送が行われるごとに累積する。すなわち、スペクトルホールバーニングによる利得偏差が発生しないように対策を行うことが重要となる。ここで、従来の手法では、スペクトルアナライザやチャンネルごとにモニタを設け、信号光の偏りを検出し、波長特性を平坦にしていた。
【０１３５】
このような従来の手法に対して、図３２に示す例では、Ｃｏｎｔｒｏｌ２１０は、ＣｈａｎｎｅｌＭｏｎｉｔｏｒ３０２を介してＷＤＭＰｒｅＡｍｐ１０１と接続される。なお、図３２は、ＷＤＭＰｒｅＡｍｐを用いてＳＮ劣化防止処理を行う光伝送装置の構成の一例を示すためのブロック図である。
【０１３６】
Ｃｏｎｔｒｏｌ２１０は、Ｃｏｍｐ２０９によって信号光が含まれていると判定されると、信号光の波長が所定の周波数から偏っているかを検知する。ここで、Ｃｏｎｔｒｏｌ２１０は、偏っていると検知すると、偏っている周波数に関する情報をＣｈａｎｎｅｌＭｏｎｉｔｏｒ３０２に送る。
【０１３７】
そして、ＣｈａｎｎｅｌＭｏｎｉｔｏｒ３０２は、各チャンネルに対応するＣｏｎｔｒｏｌ２１０各々から、偏っている周波数に関する情報を受信し、当該情報をＷＤＭＰｒｅＡｍｐ１０１に送る。そして、ＷＤＭＰｒｅＡｍｐ１０１は、偏っている周波数に関する情報を用いて波長特性を平坦にする。
【０１３８】
また、図３３に示す例では、Ｄｅ−Ｍｕｌｔｉｐｌｅｘｅｒ１０２と光送受信器２００との間にＶＯＡ３０３を備え、また、ＣｈａｎｎｅｌＭｏｎｉｔｏｒ３０２は、各チャンネルに対応する光送受信器２００と各ＶＯＡ３０３と接続する。なお、図３３は、ＶＯＡを用いてＳＮ劣化防止処理を行う光伝送装置の構成の一例を示すためのブロック図である。
【０１３９】
ＣｈａｎｎｅｌＭｏｎｉｔｏｒ３０２は、Ｃｏｎｔｒｏｌ２１０から、偏っている周波数に関する情報を受信し、波長特性を平坦にすべきチャンネルに対応するＶＯＡ３０３に対して、偏っている周波数に関する情報を送る。そして、ＶＯＡ３０３は、偏っている周波数に関する情報を用いて波長特性を平坦にする。
【０１４０】
また、図３４に示す例では、ＷＤＭＰｒｅＡｍｐ１０１とＤｅ−Ｍｕｌｔｉｐｌｅｘｅｒとの間にＶＧＥＱ（Variable  Gain  Equalizer）３０４をさらに備え、ＣｈａｎｎｅｌＭｏｎｉｔｏｒ３０２は、各チャンネルに対応する光送受信器２００とＶＧＥＱ３０４と接続する。なお、図３４は、ＶＧＥＱを用いてＳＮ劣化防止処理を行う光伝送装置の構成の一例を示すためのブロック図である。
【０１４１】
ここで、ＣｈａｎｎｅｌＭｏｎｉｔｏｒ３０２は、Ｃｏｎｔｒｏｌ２１０から、偏っている周波数に関する情報を受信し、当該情報をＶＧＥＱ３０４に送る。そして、ＶＧＥＱ３０４は、偏っている周波数に関する情報を用いて波長特性を平坦にする。すなわち、ＣｈａｎｎｅｌＭｏｎｉｔｏｒ３０２は、ＶＧＥＱ３０４がチルトを抑圧する方向に動作するよう制御する。
【０１４２】
なお、図３４では、ＶＧＥＱ３０４は、ＷＤＭＰｒｅＡｍｐ１０１とＤｅ−Ｍｕｌｔｉｐｌｅｘｅｒ１０２との間に接続されているが、本発明はこれに限定されるものではなく、ＷＤＭＰｒｅＡｍｐ１０１の入力側に接続してもよい。
【０１４３】
また、図３５に示すように、ＷＤＭ装置１００は、ＣｈａｎｎｅｌＭｏｎｉｔｏｒ３０２と接続されるＲａｍａｎＰｕｍｐ３０５をさらに備える。なお、図３５は、ラマン励起光を用いてＳＮ劣化防止処理を行う光伝送装置の構成の一例を示すためのブロック図である。
【０１４４】
ここで、ＣｈａｎｎｅｌＭｏｎｉｔｏｒ３０２は、偏っている周波数に関する情報をＲａｍａｎＰｕｍｐ３０５に送り、ＲａｍａｎＰｕｍｐ３０５は、ＷＤＭＰｒｅＡｍｐ１０１に入力される前の段階において（図３５では、「ＷＤＭ」と記載）光信号にラマンによる励起光を照射することで、波長特性を平坦にする。
【０１４５】
ＲａｍａｎＰｕｍｐ３０５が照射する励起光による効果は、長波長側に少数波長の信号が偏った場合はラマン効果を受けにくくなることを利用し、利得を補償して波長特性を平坦にすることが可能である。すなわち、ＣｈａｎｎｅｌＭｏｎｉｔｏｒ３０２は、ＲａｍａｎＰｕｍｐ３０５からの励起光のパワーを可変するよう制御することで、ＲａｍａｎＰｕｍｐ３０５がチルトを抑圧する方向に動作するよう制御する。
【０１４６】
なお、ＣｈａｎｎｅｌＭｏｎｉｔｏｒ３０２は、偏っている周波数に関する情報を送信側の光伝送装置に送り、送信側にて補償を行ってもよい。
【０１４７】
［ＷＤＭ装置と光送受信器との間の接続異常検出］
また、例えば、図３６に示すように、ＷＤＭ装置と光送受信器間の接続異常を検出してもよい。図３６に示す例では、ＷＤＭ装置１００は、Ｄｅ−Ｍｕｌｔｉｐｌｅｘｅｒ１０２からチャンネルごとに出力される光信号各々をモニタするＣｈａｎｎｅｌＭｏｎｉｔｏｒ３０６をさらに備える。なお、図３６は、ＷＤＭ装置と光送受信器との間の接続異常を検出する光伝送装置の構成の一例を示すためのブロック図である。
【０１４８】
図３６に示す例では、ＣｈａｎｎｅｌＭｏｎｉｔｏｒ３０６は、Ｄｅ−Ｍｕｌｔｉｐｌｅｘｅｒ１０２と光送受信器２００との間に設けられたＴａｐ−ＰＤ３０１各々と接続され、また、ＡＬＭＣＯＮＴ３０７と接続される。ここで、ＣｈａｎｎｅｌＭｏｎｉｔｏｒ３０６は、運用中となるチャンネルについての情報を各チャンネルに対応するＴａｐ−ＰＤ３０１各々から受信し、ＡＬＭＣＯＮＴ３０７に送る。
【０１４９】
また、ＣｈａｎｎｅｌＭｏｎｉｔｏｒ３０２は、運用中となるチャンネルについての情報を各チャンネルに対応するＣｏｎｔｒｏｌ２１０各々から受信し、ＡＬＭＣＯＮＴ３０７に送る。
【０１５０】
ここで、ＡＬＭＣＯＮＴ３０７は、ＣｈａｎｎｅｌＭｏｎｉｔｏｒ３０２とＣｈａｎｎｅｌＭｏｎｉｔｏｒ３０６と接続し、ＣｈａｎｎｅｌＭｏｎｉｔｏｒ３０２とＣｈａｎｎｅｌＭｏｎｉｔｏｒ３０６とから受信した情報が異なるかを判定する。すなわち、ＡＬＭＣＯＮＴ３０７は、ＷＤＭ装置１００から出力される段階において運用中となるチャンネルの数と、光送受信器２００にて運用中となるチャンネルの数とが異なるかを判定する。ここで、ＡＬＭＣＯＮＴ３０７は、異なると判定した場合には、例えば、ＷＤＭ装置１００と光送受信器２００との接続に異常があることになり、利用者に警報を発出することで、利用者に異常を報知する。
【０１５１】
［Ｓ／ＡＳＥ比モニタ］
また、例えば、Ｓ／ＡＳＥ比を算出し、Ｓ／ＡＳＥ比を用いて装置の状態を監視してもよい。
【０１５２】
まず、Ｃｏｎｔｒｏｌ２１０は、中心波長を制御することで、信号光に対応するパワーに対するＡＳＥ光に対応するパワーの比（Ｓ／ＡＳＥ比）を算出することが可能である。
【０１５３】
具体的には、Ｃｏｎｔｒｏｌ２１０は、信号光が含まれる光信号が光送受信器２００に入力される場合に、中心波長が信号光に対応する光信号が分散補償器２０２に入力された際に出力される光信号のパワー＜Pout＞を算出する。また、Ｃｏｎｔｒｏｌ２１０は、分散補償器２０２の中心波長をずらすことにより信号光が減衰されて出力されないように設定し、分散補償器２０２からＡＳＥ光のみが出力された際の光信号のパワー＜Pase＞を算出する。
【０１５４】
ここで、光信号には信号光とＡＳＥ光とが含まれており、光信号のパワーには、信号光に対応するパワー＜Psig＞とＡＳＥ光に対応するパワー＜Pase＞とが含まれる。そして、信号光に対応するパワーは、光信号のパワーからＡＳＥ光に対応するパワーを除いた値となる。この結果、Ｓ／ＡＳＥ比は、光信号のパワーからＡＳＥ光に対応するパワーを除いた値を、ＡＳＥ光に対応するパワーで除算した値となる。すなわち、以下の式で表される。
＜Psig＞＋＜Pase＞＝＜Pout＞  ⇒  ＜Psig＞＝＜Pout＞−＜Pase＞
Ｓ／ＡＳＥ比＝＜Pout＞−＜Psig＞  ／  ＜Pase＞
【０１５５】
ここで、例えば、Ｃｏｎｔｒｏｌ２１０は、Ｓ／ＡＳＥ比を常に算出して値の変動を監視することで、当該値に大きな変動があった場合には、分散補償器２０２やＰｒｅＡｍｐ「１」２０１に異常がある可能性がある旨を利用者に報知することが可能である。
【０１５６】
また、Ｓ／ＡＳＥ比を常に算出して値の変動を監視することで、Ｓ／ＡＳＥ比が小さい値になった場合に（劣化した場合に）、値が大きくなるように制御してもよい。すなわち、Ｃｏｎｔｒｏｌ２１０は、信号光／ＡＳＥ比を定期的に出力し、定期的に出力する信号光／ＡＳＥ比が小さい値へと変化するかを監視する。ここで、Ｃｏｎｔｒｏｌ２１０によって小さい値へと変化するとの監視結果を得ると、ＰｒｅＡｍｐ「１」２０１が、利得を制御することで、当該信号光／ＡＳＥ比を大きくするよう処理をおこなってもよい。また、例えば、ＷＤＭ装置１００が個々のチャンネルのパワーを可変にできる構成を備える場合には、Ｃｏｎｔｒｏｌ２１０が、監視結果をＷＤＭ装置１００に伝えることで、ＷＤＭ装置１００にて、信号光／ＡＳＥ比を大きくしてもよい。なお、ＷＤＭ装置１００が個々のチャンネルのパワーを可変にできる構成とは、例えば、Ｄｅ−Ｍｕｌｔｉｐｌｅｘｅｒ１０２とＰｒｅＡｍｐ「１」２０１との間にＶＯＡ３０３を備える構成が該当する。この結果、例えば、Ｓ／ＡＳＥ比を良好な値に維持することが可能である。
【０１５７】
［分散補償器挿入損失モニタ］
また、例えば、Ｓ／ＡＳＥ比としてではなく、分散補償器２０２によるパワーの損失をモニタしてもよい。すなわち、分散補償器２０２による挿入損失＜TDC_loss＞は、分散補償器によりフィルタリングされた光信号となる。ここで、ＰｒｅＡｍｐ「１」２０１から出力される光信号のパワーを＜Pao＞とすると、＜Pao＞と＜Pout＞とにより、分散補償器２０２による挿入損失＜TDC_loss＞を算出することが可能である。
【０１５８】
つまり、ＰｒｅＡｍｐ「１」２０１から出力される光信号のパワーは、分散補償器２０２による挿入損失と、分散補償器２０２から出力された出力光のパワーとを合計したパワーとなる。この結果、分散補償器２０２による挿入損失は、ＰｒｅＡｍｐ「１」２０１から出力される光信号のパワーから、分散補償器２０２から出力された出力光のパワーを減算したパワーとなる。
＜Pao＞＝＜Pout＞＋＜TDC_loss＞  ⇒  ＜TDC_loss＞＝＜Pao＞−＜Pout＞
【０１５９】
例えば、図３７に示すように、ＰｒｅＡｍｐ「１」２０１の内部とＰｒｅＡｍｐ「２」２０３の内部とに光信号のパワーをモニタするＰＤ部２０６を新たに設け、当該ＰＤ部２０６とＣｏｎｔｒｏｌ２１０とを接続する。なお、図３７は、分散補償器挿入損失をモニタする光送受信器の構成の一例を示すためのブロック図である。
【０１６０】
ここで、Ｃｏｎｔｒｏｌ２１０は、ＰｒｅＡｍｐ「１」２０１の内部とＰｒｅＡｍｐ「２」２０３の内部とに設けられたＰＤ部２０６各々から光信号のパワーを受信することで、分散補償器２０２による挿入損失を算出することが可能である。
【０１６１】
［ＰＤ］
また、例えば、実施例１では、ＰＤ２０６は、ＰｒｅＡｍｐ「２」２０３内にある光入力モニタ用ＰＤとして説明し、また、実施例２では、Ｔａｐ−ＰＤ３０１として用いる場合などについて説明した。しかし、本発明はこれに限定されるものではなく、例えば、分散補償器２０２からＰｒｅＡｍｐ「２」２０３へと送られる光回線をカプラにより分岐し、分岐先にＰＩＮ―ＰＤを新たに設けることで、ＰＤ２０６を実現してもよい。
【０１６２】
［信号断送信］
また、例えば、入力光に信号光が含まれないと判定されると、光伝送装置は、出力光の出力先となる他の光伝送装置へと、信号光が含まれないと判定された旨の情報を送信してもよい。すなわち、光伝送装置は、異常を検知した光信号の送信先となる下流に位置する光伝送装置に対して、異常を検知した旨の情報を送っても良い。
【０１６３】
例えば、光伝送装置は、光伝送装置間において用いられている監視制御信号光を用いて、信号光が含まれないと判定された旨の情報を他の光伝送装置に送信してもよい。具体的な一例をあげて説明すると、光伝送装置は、運用中となるチャンネル数と、信号光が含まれないと判定された光信号のチャンネルを識別する情報とを併せて、監視制御信号光を用いて他の光伝送装置に送信してもよい。
【０１６４】
この結果、光伝送装置にて異常が検知されたかを認識することができ、利用者が早急に障害の復旧を行うことが可能である。
【０１６５】
［システム構成］
また、上記した実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。例えば、出力光のパワーと閾値とを比較する処理を手動で行ってもよい。
【０１６６】
また、この他、上記文書中や図面中で示した処理手順、制御手順、具体的名称、各種のデータやパラメータを含む情報については、特記する場合を除いて任意に変更することができる（例えば、図１〜図３７）。
【０１６７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図５に示す例では、ＷＤＭ装置１００と光送受信器２００とを統合して一つの装置としてもよい。
【０１６８】
以上の実施例１〜４を含む実施形態に関し、更に以下の付記を開示する。
【０１６９】
（付記１）所定のパワーを示す入力光を受け付け、所定の周波数における光信号のパワーを減衰する割合が他の周波数における光信号のパワーを減衰する割合と比較して低くなるフィルタ特性を用いてフィルタリングし、出力光を出力するフィルタリング手段と、
前記フィルタリング手段によって出力された前記出力光のパワーに関する値と閾値とを比較し、入力光に信号光が含まれるかを判定する判定手段と、
を備えることを特徴とする光受信器。
【０１７０】
（付記２）前記フィルタリング手段は、所定のパワーを示す入力光を受け付け、信号光を含む入力光のパワーを減衰する割合が信号光を含まない入力光のパワーを減衰する割合よりも低くなるフィルタ特性を用いて受け付けた入力光をフィルタリングし、出力光を出力し、
前記判定手段は、前記フィルタリング手段によって出力された前記出力光のパワーと閾値とを比較し、入力光に信号光が含まれるかを判定することを特徴とする付記１に記載の光受信器。
【０１７１】
（付記３）前記所定の周波数が信号光に対応する信号光周波数となるフィルタ特性を用いてフィルタリングされた第一の出力光と、前記所定の周波数が当該信号光周波数とは異なる周波数となるフィルタ特性を用いてフィルタリングされた第二の出力光とがフィルタリング手段によって交互に出力されるように、当該フィルタリング手段のフィルタ特性を制御する制御手段をさらに備え、
前記判定手段は、前記制御手段によって制御されることで前記フィルタリング手段によって交互に出力された前記第一の出力光のパワーと前記第二の出力光のパワーとのパワー差と閾値とを比較し、入力光に信号光が含まれるかを判定することを特徴とする付記１に記載の光受信器。
【０１７２】
（付記４）前記入力光とは、信号光とＡＳＥ光とを含み、または、ＡＳＥ光のみを含むものであって、
前記判定手段によって信号光が含まれていると判定されると、前記所定の周波数が信号光に対応する信号光周波数となるフィルタ特性を用いてフィルタリングされた信号光を含む出力光と、前記所定の周波数が当該信号光周波数とは異なる周波数となるフィルタ特性を用いてフィルタリングされたＡＳＥ光のみを含む出力光とがフィルタリング手段によって交互に出力されるように、当該フィルタリング手段のフィルタ特性を制御する入力光有時制御手段と、
前記入力光有時制御手段によって制御されることで前記フィルタリング手段によって交互に出力された信号光を含む出力光のパワーをＡＳＥ光のみを含む出力光のパワーで除算して得られる信号光／ＡＳＥ比を出力する出力手段と
をさらに備えることを特徴とする付記３に記載の光受信器。
【０１７３】
（付記５）前記出力手段は、前記信号光／ＡＳＥ比を定期的に出力し、
前記出力手段によって定期的に出力される信号光／ＡＳＥ比が小さい値へと変化するかを監視する信号光／ＡＳＥ比監視手段と、
信号光／ＡＳＥ比監視手段によって小さい値へと変化するとの監視結果が得られると、当該信号光／ＡＳＥ比を大きくする信号光／ＡＳＥ比制御手段をさらに備えることを特徴とする付記４に記載の光受信器。
【０１７４】
（付記６）前記閾値として、前記入力光にＡＳＥ光のみが含まれる場合に前記フィルタリング手段によって出力される出力光のパワーを示す値を用いることを特徴とする付記２に記載の光受信器。
【０１７５】
（付記７）前記判定手段によって入力光に信号光が含まれないと判定されると、前記フィルタリング手段より後段にある装置を停止する停止手段をさらに備えることを特徴とする付記１〜６のいずれか一つに記載の光受信器。
【０１７６】
（付記８）前記フィルタリング手段が受け付ける入力光のパワーを前記フィルタリング手段によって出力される出力光のパワーにて除算した値を出力する出力手段をさらにそなえることを特徴とする付記１〜７のいずれか一つに記載の光受信器。
【０１７７】
（付記９）前記判定手段によって信号光が含まれると判定された場合に、当該信号光について、所定の波長からの偏りを検知する偏り検知手段と、
前記偏り検知手段によって検知された偏りを修正する修正手段と、
をさらに備えることを特徴とする付記１〜８のいずれか一つに記載の光受信器。
【０１７８】
（付記１０）前記判定手段によって入力光に信号光が含まれないと判定されると、前記出力光の出力先となる光伝送装置へと前記判定手段によって信号光が含まれないと判定された旨の情報を送信する信号光情報送信手段をさらに備えることを特徴とする付記１〜９のいずれか一つに記載の光受信器。
【０１７９】
（付記１１）所定のパワーを示す入力光を受け付け、所定の周波数における光信号のパワーを減衰する割合が他の周波数における光信号のパワーを減衰する割合と比較して低くなるフィルタ特性を用いてフィルタリングし、出力光を出力するフィルタリングステップと、
前記フィルタリングステップによって出力された前記出力光のパワーに関する値と閾値とを比較し、入力光に信号光が含まれるかを判定する判定ステップと、
を含んだことを特徴とする光受信方法。
【０１８０】
（付記１２）所定のパワーを示す入力光を受け付け、所定の周波数における光信号のパワーを減衰する割合が他の周波数における光信号のパワーを減衰する割合と比較して低くなるフィルタ特性を用いてフィルタリングし、出力光を出力するフィルタリング手段と、
前記フィルタリング手段によって出力された前記出力光のパワーに関する値と閾値とを比較し、入力光に信号光が含まれるかを判定する判定手段と、
を備える光受信器を有することを特徴とする光伝送装置。
【図面の簡単な説明】
【０１８１】
【図１】実施例１に係る光送受信器の概要を説明するための図である。
【図２】ネットワーク内における光伝送装置を説明するための図である。
【図３】ＴＸとＲＸとを併せて備える光伝送装置の構成の一例を示すためのブロック図である。
【図４】ＲＥＧとして用いられる光伝送装置の構成の一例を示すためのブロック図である。
【図５】実施例１に係る光送受信器の構成の一例を示すためのブロック図である。
【図６】実施例１における光信号の状態を説明するために用いる光送受信器とＷＤＭ装置の各部の関係を説明するためのブロック図である。
【図７】実施例１におけるＤｅ−Ｍｕｌｔｉｐｌｅｘｅｒが受信する光信号を説明するための図である。
【図８】実施例１におけるＰｒｅＡｍｐによって受信される光信号（ＡＳＥ光のみ）を説明するための図である。
【図９】実施例１におけるＰｒｅＡｍｐによって受信される光信号（信号光含む）を説明するための図である。
【図１０】実施例１におけるＰｒｅＡｍｐによって出力される光信号（ＡＳＥ光のみ）を説明するための図である。
【図１１】実施例１におけるＰｒｅＡｍｐによって出力される光信号（信号光含む）を説明するための図である。
【図１２】実施例１における分散補償器が備えるフィルタ特性を説明するための図である。
【図１３】実施例１における分散補償器によるＡＳＥ光のみを含む光信号をフィルタリングする処理を説明するための図である。
【図１４】実施例１における分散補償器による信号光を含む光信号をフィルタリングする処理を説明するための図である。
【図１５】実施例１における分散補償器から出力される出力光全体のパワーを説明するための図である。
【図１６】実施例１における光信号のパワーの違いを説明するための図である。
【図１７】実施例１におけるＣｏｍｐにより出力される「１」「０」信号を説明するための図である。
【図１８】光信号のパワー差を説明するために用いる各部の仕様について説明するための図である。
【図１９】光信号のパワー差を説明するために用いるＰｒｅＡｍｐ「１」から出力される光信号を説明するための図である。
【図２０】光信号のパワー差を説明するために用いる分散補償器から出力される光信号を説明するための図である。
【図２１】実施例１に係る光送受信器による処理の流れの一例を説明するためのフローチャートである。
【図２２】Ｔａｐ−ＰＤを用いる場合における光送受信器の構成の一例を示すためのブロック図である。
【図２３】ＮＢ−ＭＯＤ２０４内にあるモニタ用のＰＤを用いる場合における光送受信器の構成の一例を示すためのブロック図である。
【図２４】励起ＬＤを止める場合における光送受信器の構成の一例を示すためのブロック図である。
【図２５】実施例３に係る光送受信器の構成の一例を示すためのブロック図である。
【図２６】中心波長が変化した場合におけるＡＳＥ光のみを含む出力光のパワーを説明するための図である。
【図２７】中心波長が変化した場合における信号光を含む出力光のパワーを説明するための図である。
【図２８】中心波長の変化の有無と出力光のパワーの違いを説明するための図である。
【図２９】実施例３に係る光送受信器による処理の流れの一例を説明するためのフローチャートである。
【図３０】運用チャンネルモニタとして用いる光送受信器の構成の一例を示すためのブロック図である。
【図３１】運用チャンネルモニタとして用いる従来の光伝送装置を説明するための図である。
【図３２】ＷＤＭＰｒｅＡｍｐを用いてＳＮ劣化防止処理を行う光伝送装置の構成の一例を示すためのブロック図である。
【図３３】ＶＯＡを用いてＳＮ劣化防止処理を行う光伝送装置の構成の一例を示すためのブロック図である。
【図３４】ＶＧＥＱを用いてＳＮ劣化防止処理を行う光伝送装置の構成の一例を示すためのブロック図である。
【図３５】ラマン励起光を用いてＳＮ劣化防止処理を行う光伝送装置の構成の一例を示すためのブロック図である。
【図３６】ＷＤＭ装置と光送受信器との間の接続異常を検出する光伝送装置の構成の一例を示すためのブロック図である。
【図３７】分散補償器挿入損失をモニタする光送受信器の構成の一例を示すためのブロック図である。
【符号の説明】
【０１８２】
１００  ＷＤＭ装置
１０１  ＷＤＭＰｒｅＡｍｐ
１０２  Ｄｅ−Ｍｕｌｔｉｐｌｅｘｅｒ
１０３  Ｍｕｌｔｉｐｌｅｘｅｒ
１０４  ＷＤＭＰｏｓｔＡｍｐ
２００  光送受信器
２０１  ＰｒｅＡｍｐ「１」
２０２  分散補償器
２０３  ＰｒｅＡｍｐ「２」
２０４  ＮＢ−ＭＯＤ
２０５  判定処理制御部
２０６  ＰＤ
２０７  ユニットコントロール
２０８  Ｒｅｆ
２０９  Ｃｏｍｐ
２１０  Ｃｏｎｔｒｏｌ
２５０  光送受信器部
３０１  Ｔａｐ−ＰＤ
３０２  ＣｈａｎｎｅｌＭｏｎｉｔｏｒ
３０３  ＶＯＡ
３０４  ＶＧＥＱ
３０５  ＲａｍａｎＰｕｍｐ
３０６  ＣｈａｎｎｅｌＭｏｎｉｔｏｒ
３０７  ＡＬＭＣＯＮＴ
３０８  励起ＬＤ
【図１】
2010130587.tif 000003
【図２】
2010130587.tif 000004
【図３】
2010130587.tif 000005
【図４】
2010130587.tif 000006
【図５】
2010130587.tif 000007
【図６】
2010130587.tif 000008
【図７】
2010130587.tif 000009
【図８】
2010130587.tif 000010
【図９】
2010130587.tif 000011
【図１０】
2010130587.tif 000012
【図１１】
2010130587.tif 000013
【図１２】
2010130587.tif 000014
【図１３】
2010130587.tif 000015
【図１４】
2010130587.tif 000016
【図１５】
2010130587.tif 000017
【図１６】
2010130587.tif 000018
【図１７】
2010130587.tif 000019
【図１８】
2010130587.tif 000020
【図１９】
2010130587.tif 000021
【図２０】
2010130587.tif 000022
【図２１】
2010130587.tif 000023
【図２２】
2010130587.tif 000024
【図２３】
2010130587.tif 000025
【図２４】
2010130587.tif 000026
【図２５】
2010130587.tif 000027
【図２６】
2010130587.tif 000028
【図２７】
2010130587.tif 000029
【図２８】
2010130587.tif 000030
【図２９】
2010130587.tif 000031
【図３０】
2010130587.tif 000032
【図３１】
2010130587.tif 000033
【図３２】
2010130587.tif 000034
【図３３】
2010130587.tif 000035
【図３４】
2010130587.tif 000036
【図３５】
2010130587.tif 000037
【図３６】
2010130587.tif 000038
【図３７】
2010130587.tif 000039